(57)【要約】      （修正有）【課題】切妻屋根等の破風や軒先を、その高さ寸法が変化したとしても、高さ寸法の変化に合わせて簡単に化粧することができる破風及び軒先化粧板を提供する。【解決手段】アルミ押出型材からなる化粧板１は、破風板Ｇに固定する平板状の固定部２１と、該固定部２１に連続し、外方に膨出する膨出部２２と、該膨出部２２の下端部に連続し、破風板Ｇの下面側に折り返す断面Ｌ字状のかぎ型部２３とを有する本体化粧板２、及び、破風板Ｇに固定する平板状の固定部３１と、該固定部３１に連続し、外方に膨出する膨出部３２とを有する補助化粧板３から構成される。そして、破風板Ｇに本体化粧板２の固定部２１がビス固定されるとともに、そのビス頭を補助化粧板３の膨出部３２が覆った状態で破風板Ｇに補助化粧板３の固定部３１がビス固定される。【選択図】図３
0003174174.tif 000002
【実用新案登録請求の範囲】
【請求項１】
切妻屋根等の破風板及び鼻隠し板に取り付けられて破風板及び鼻隠し板を覆うアルミ押出型材からなる破風及び軒先化粧板であって、破風板及び鼻隠し板に固定する略平板状の固定部と、該固定部の下端縁に段丘状に連続する平板状の膨出部と、該膨出部の下端縁に破風板及び鼻隠し板の下面側に折り返すように連続する断面略Ｌ字状のかぎ型部とを有する本体化粧板、及び、破風板及び鼻隠し板に固定する略平板状の固定部と、該固定部の下端縁に段丘状に連続する断面亀甲括弧状の膨出部とを有する補助化粧板から構成され、本体化粧板が破風板及び鼻隠し板に配置されて固定部を通してビス固定されるとともに、そのビス頭を補助化粧板の膨出部が覆うように破風板及び鼻隠し板に補助化粧板が配置されて固定部を通してビス固定されることを特徴とする破風及び軒先化粧板。
【請求項２】
請求項１に記載の破風及び軒先化粧板において、前記本体化粧板における膨出部の略中間部裏面に内方に突出して破風板及び鼻隠し板に突き当てられる支持片が形成されることを特徴とする破風及び軒先化粧板。
【考案の詳細な説明】
【技術分野】
【０００１】
この考案は、破風及び軒先化粧板に関するものである。
【背景技術】
【０００２】
従来、切妻屋根の妻側に取り付けられる破風には、化粧板が取り付けられており、破風を風雨から保護するとともに、化粧している（例えば、特許文献１参照）。
【先行技術文献】
【特許文献】
【０００３】
【特許文献１】特開２００９−２４３２０４号公報
【考案の概要】
【考案が解決しようとする課題】
【０００４】
しかしながら、前述した化粧板は、セメントを主成分とする無機質材料を板状に成形して形成されており、厚みが５乃至１０ｍｍと厚く、単位面積当たりの重量が大きくなることを避けられない。特に、長さや高さが大きくなると、その重量が増加することから、１人で作業することが困難となる。しかも、破風の高さ（上下寸法）に合わせて高さの異なる多数種類の化粧板を成形する必要があり、コストがかさむものとなる。
【０００５】
本考案は、このような問題点に鑑みてなされたもので、切妻屋根等の破風や軒先を、その高さ寸法が変化したとしても、高さ寸法の変化に合わせて簡単に化粧することのできる破風及び軒先化粧板を提供するものである。
【課題を解決するための手段】
【０００６】
本考案は、切妻屋根等の破風板及び鼻隠し板に取り付けられて破風板及び鼻隠し板を覆うアルミ押出型材からなる破風及び軒先化粧板であって、破風板及び鼻隠し板に固定する略平板状の固定部と、該固定部の下端縁に段丘状に連続する平板状の膨出部と、該膨出部の下端縁に破風板及び鼻隠し板の下面側に折り返すように連続する断面略Ｌ字状のかぎ型部とを有する本体化粧板、及び、破風板及び鼻隠し板に固定する略平板状の固定部と、該固定部の下端縁に段丘状に連続する断面亀甲括弧状の膨出部とを有する補助化粧板から構成され、本体化粧板が破風板及び鼻隠し板に配置されて固定部を通してビス固定されるとともに、そのビス頭を補助化粧板の膨出部が覆うように破風板及び鼻隠し板に補助化粧板が配置されて固定部を通してビス固定されることを特徴とするものである。
【０００７】
本考案によれば、切妻屋根等の破風板及び鼻隠し板に沿って本体化粧板を配置し、その固定部を通して破風板及び鼻隠し板にビスを打ち込み、固定する。次いで、本体化粧板を固定するビスの頭を膨出部が覆い隠すように補助化粧板を破風板及び鼻隠し板に配置し、その固定部を通して破風板及び鼻隠し板にビスを打ち込み、固定する。
【０００８】
この結果、破風及び軒先の高さが変化しても、アルミ押出型材からなる本体化粧板及び補助化粧板からなる破風及び軒先化粧板によってビス頭を隠して破風及び軒先を化粧することができるとともに、破風及び軒先に化粧板の質感からもたらされる重厚感を与えることができる。
【０００９】
本考案において、前記本体化粧板における膨出部の略中間部裏面に内方に突出して破風板及び鼻隠し板に突き当てられる支持片が形成されることが好ましい。これにより、支持片が膨出部を補強する一方、破風板及び鼻隠し板に突き当たることから、固定部とともに本体化粧板を安定して支持することができる。
【考案の効果】
【００１０】
本考案によれば、切妻屋根等の破風や軒先の高さ寸法が変化したとしても、高さ寸法の変化に合わせて、破風や軒先をアルミ押出型材からなる化粧板によって重厚感を持たせながら簡単に化粧することができる。
【図面の簡単な説明】
【００１１】
【図１】図１の化粧板を屋根の破風に取り付けた状態を一部省略して示す斜視図である。
【図２】本考案の破風及び軒先化粧板の一実施形態を示す縦断面図である。
【図３】本考案の破風及び軒先化粧板の他の実施形態を示す縦断面図である。
【考案を実施するための形態】
【００１２】
以下、本考案の破風及び軒先化粧板１を図面に基づいて説明する。
【００１３】
図１乃至図３には、本考案の破風及び軒先化粧板１が破風板Ｇに取り付けられて示されている。
【００１４】
この破風及び軒先化粧板１は、切妻屋根２等の妻側に設けられた破風板Ｇ及び軒先に設けられた図示しない鼻隠し板を覆うものであって、本体化粧板２及び補助化粧板３から構成されている。
【００１５】
本体化粧板２は、破風板Ｇに固定される、上端にリップを有する略平板状の固定部２１と、固定部２１の下端縁に段丘状に連続する平板状の膨出部２２と、膨出部２２の下端縁から破風板Ｇの下端面に向けて折り返すように連続する、先端にリップを有する断面略Ｌ字状のかぎ型部２３とから形成されている。そして、本体化粧板２における膨出部２２には、その裏面略中間部に内方に向けて突出し、破風板Ｇに対する固定部２１の接触面とほぼ同一平面上で突き当たる支持片２２１が形成されるとともに、その下端部に内方に向けて膨出する凹部２２２が形成されている。
【００１６】
補助化粧板３は、破風板Ｇに固定される、上端にリップを有する略平板状の固定部３１と、固定部３１の下端縁に段丘状に連続する断面亀甲括弧状の膨出部３２とから形成されている。
【００１７】
これらの本体化粧板２及び補助化粧板３は、アルミニウムの押出型材であって、耐腐食性に優れるとともに、軽量であり、一人でも簡単に取付けることができる。
【００１８】
次に、このように形成された化粧板１の取り付けについて説明する。
【００１９】
切妻屋根等の屋根Ｒの妻側には、木製の破風板Ｇが設けられており、この破風板Ｇの外側面に沿って本体化粧板２が固定される。
【００２０】
まず、本体化粧板２の棟側となる左右一方の端縁を屋根Ｒの傾斜に合わせて斜めに切断するとともに、破風板Ｇの長さに合わせて左右他方の端縁部を切断しておく。
【００２１】
次いで、破風板Ｇに屋根Ｒの傾斜に沿って設定間隔をおいて断面Ｌ字状の取付ブラケット４を順にビス止めする。具体的には、取付ブラケット４をその水平片４２が破風板Ｇの下端面から設定間隔をおいて位置するように破風板Ｇの外側面に垂直片４１をあてがい、破風板Ｇの下端部にビスを介して固定する。また、棟にジョイナー５（図１参照）をビス止めする。
【００２２】
破風板Ｇに屋根の流れ方向に設定間隔をおいて複数個の取付ブラケット４を固定したならば、本体化粧板２を把持し、そのかぎ型部２３に取付ブラケット４の水平片４２を収容するとともに、平板状の固定部２１を破風板Ｇの外側面に沿わせて上端縁が破風板Ｇの上端縁に略当接する位置まで上方に引上げる。次いで、本体化粧板２の棟側端縁部をジョイナー５に差し込んだ後、固定部２１の上端部に形成されたマーク（図示せず）を通して破風板Ｇにビスを打込み、本体化粧板２を破風板Ｇに固定する。この際、本体化粧板２の支持片２２１が破風板Ｇの外側面に本体化粧板２の長さにわたって突き当っており、膨出部２２を補強しつつ、固定部２１ともに安定して支持している。
【００２３】
なお、破風板Ｇの長さが本体化粧板２の長さよりも長い場合には、２枚の本体化粧板２を用いる。この場合は、本体化粧板２，２の突き合わせ部に対応する位置に横断面工字状のジョイナー（図示せず）を破風板Ｇにビス止めし、ジョイナーに各本体化粧板２，２の端縁部を嵌め込めばよい。
【００２４】
破風板Ｇに本体化粧板２を取り付けたならば、妻側の外壁と破風板Ｇとの間の屋根裏を目隠しするため、本体化粧板２のかぎ型部２３に突き当てた状態で取付金物６を設けた取付材７を破風板Ｇの内面側下端部に固定し、取付金物６にけらば裏化粧材８の端縁部を嵌挿する。
【００２５】
この結果、切妻屋根等の破風板Ｇに、アルミ押出型材からなる本体化粧板２の質感によって重厚感を与えることができる。しかも、本体化粧板２の膨出部２２がその下端部に形成された凹部２２２によって強調され、優れた意匠感を演出して化粧することができる。
【００２６】
ところで、前述した実施形態においては、本体化粧板２によって破風板Ｇを化粧する場合を例示したが、破風板Ｇの高さが住宅によって大きくなる場合がある。
【００２７】
このように、高さの大きな破風板Ｇを化粧する場合は、図３に示すように、本体化粧板２とともに、補助化粧板３を用いる。すなわち、本体化粧板２は、例えば、高さが１８０ｍｍであり、破風板Ｇの高さが約１５０ｍｍの場合に使用される。そして、破風板Ｇの高さが約１５０ｍｍを越える場合、例えば、１８０〜２１０ｍｍの場合には、本体化粧板２及び補助化粧板３が併用される。
【００２８】
このような補助化粧板３を本体化粧板２とともに用いて高さの大きな破風板Ｇを化粧する場合は、前述したように、破風板Ｇの外側面に本体化粧板２をビス固定した後、補助化粧板３を把持し、その膨出部３２が本体化粧板２を固定するビスの頭を覆い隠すように、固定部３１を破風板Ｇの外側面に沿わせ、その状態で固定部３１の上端部に形成されたマークを通して破風板Ｇにビスを打込み、固定すればよい。
【００２９】
したがって、高さの大きな破風板Ｇを化粧する場合も、切妻屋根等の妻側の破風に、その高さ寸法の変化に合わせて、アルミ押出型材からなる本体化粧板２及び補助化粧板３の質感によって重厚感を与えて簡単に化粧することができる。しかも、本体化粧板２の固定部２１に打ち込まれたビスの頭は補助化粧板３によって露出することなく覆われるため、ビスを通して雨水が破風板Ｇに浸入することを防止できるとともに、ほぼ同一の膨出部を有する本体化粧板２及び補助化粧板３による優れた意匠感を演出することができる。
【００３０】
なお、前述した実施形態においては、破風板Ｇに本体化粧板２、あるいは、本体化粧板２及び補助化粧板３を設けた場合を説明したが、軒先に設けた鼻隠し板にも取り付けることができる。
【００３１】
この場合、破風板Ｇ及び鼻隠し板とが交差する出隅あるいは入隅には、それらに取り付けられた本体化粧板２，２の突き合わせ端縁部及びそれらのかぎ型部２３，２３を覆う横断面Ｌ字状の隅化粧材（図示せず）が固定される。
【符号の説明】
【００３２】
１  破風及び軒先化粧板
２  本体化粧板
２１  固定部
２２  膨出部
２２１  支持片
２３  かぎ形部
３  補助化粧板
３１  固定部
３２  膨出部
【図１】
0003174174.tif 000003
【図２】
0003174174.tif 000004
【図３】
0003174174.tif 000005